(57)【要約】  空間における空気の調和を行う第１の空調機（１１０Ａ）と、その空間における空気の調和を行う第２の空調機（１１０Ｂ）と、第１の空調機（１１０Ａ）及び第２の空調機（１１０Ｂ）の間に配置され、光を発する照明機器（１２０）とを備え、照明機器（１２０）は、第１の空調機（１１０Ａ）の動作状態と、第２の空調機（１１０Ｂ）の動作状態とに差があるか否かで、光の色又は明るさを変える。
2020100249.tif 000002
【特許請求の範囲】
【請求項１】
空間における空気の調和を行う第１の空調機と、
前記空間における空気の調和を行う第２の空調機と、
前記第１の空調機及び前記第２の空調機の間に配置され、光を発する照明機器と、を備える空調照明連動システムであって、
前記照明機器は、前記第１の空調機の動作状態と、前記第２の空調機の動作状態とに差があるか否かで、前記光の色又は明るさを変えること
を特徴とする空調照明連動システム。
【請求項２】
前記第１の空調機の動作状態と、前記第２の空調機の動作状態とに差がない場合は、前記第１の空調機の運転モードと、前記第２の空調機の運転モードとが同じ場合であり、
前記第１の空調機の動作状態と、前記第２の空調機の動作状態とに差がある場合は、前記第１の空調機の運転モードと、前記第２の空調機の運転モードとが異なる場合であること
を特徴とする請求項１に記載の空調照明連動システム。
【請求項３】
前記第１の空調機の動作状態と、前記第２の空調機の動作状態とに差がない場合は、前記第１の空調機の電源状態と、前記第２の空調機の電源状態とが同じ場合であり、
前記第１の空調機の動作状態と、前記第２の空調機の動作状態とに差がある場合は、前記第１の空調機の電源状態と、前記第２の空調機の電源状態とが異なる場合であること
を特徴とする請求項１に記載の空調照明連動システム。
【請求項４】
前記第１の空調機の動作状態と、前記第２の空調機の動作状態とに差がない場合は、前記第１の空調機の運転モード及び電源状態と、前記第２の空調機の運転モード及び電源状態とが同じ場合であり、
前記第１の空調機の動作状態と、前記第２の空調機の動作状態とに差がある場合は、前記第１の空調機の運転モードと、前記第２の空調機の運転モードとが異なる場合、前記第１の空調機の電源状態と、前記第２の空調機の電源状態とが異なる場合、又は、前記第１の空調機の運転モード及び電源状態と、前記第２の空調機の運転モード及び電源状態とが異なる場合であること
を特徴とする請求項１に記載の空調照明連動システム。
【請求項５】
前記第１の空調機の動作状態と、前記第２の空調機の動作状態とに差がない場合は、前記第１の空調機の吸い込み温度と、前記第２の空調機の吸い込み温度との温度差が予め定められた閾値未満である場合であり、
前記第１の空調機の動作状態と、前記第２の空調機の動作状態とに差がある場合は、前記第１の空調機の吸い込み温度と、前記第２の空調機の吸い込み温度との温度差が前記予め定められた閾値以上である場合であること
を特徴とする請求項１に記載の空調照明連動システム。
【請求項６】
前記第１の空調機の動作状態と、前記第２の空調機の動作状態とに差がない場合は、前記第１の空調機の電源状態及び前記第２の空調機の電源状態がオフである場合、又は、前記第１の空調機の電源状態及び前記第２の空調機の電源状態がオンであり、かつ、前記第１の空調機の吸い込み温度と、前記第２の空調機の吸い込み温度との温度差が予め定められた閾値未満である場合であり、
前記第１の空調機の動作状態と、前記第２の空調機の動作状態とに差がある場合は、前記第１の空調機の電源状態と、前記第２の空調機の電源状態とが異なる場合、又は、前記第１の空調機の電源状態及び前記第２の空調機の電源状態がオンであり、かつ、前記第１の空調機の吸い込み温度と、前記第２の空調機の吸い込み温度との温度差が予め定められた閾値以上である場合であること
を特徴とする請求項１に記載の空調照明連動システム。
【請求項７】
前記照明機器と通信を行う通信装置と、
前記第１の空調機の動作状態と、前記第２の空調機の動作状態とに差があるか否かを判断し、前記通信装置を介して、前記照明機器からの光の色又は明るさを制御する操作端末と、をさらに備えること
を特徴とする請求項１から６の何れか一項に記載の空調照明連動システム。
【請求項８】
前記操作端末は、前記通信装置と無線を用いて通信を行うこと
を特徴とする請求項７に記載の空調照明連動システム。
【請求項９】
前記第１の空調機を制御する第１の空調用リモートコントローラと、
前記第２の空調機を制御する第２の空調用リモートコントローラと、
をさらに備え、
前記操作端末は、前記第１の空調用リモートコントローラ及び前記第２の空調用リモートコントローラと無線を用いて通信を行うことで、前記第１の空調用リモートコントローラから、前記第１の空調機の動作状態を取得し、前記第２の空調用リモートコントローラから、前記第２の空調機の動作状態を取得すること
を特徴とする請求項７又は８に記載の空調照明連動システム。
【請求項１０】
前記操作端末は、
前記第１の空調機、前記第２の空調機及び前記照明機器の配置位置を示す配置位置情報を記憶する配置位置記憶部と、
前記配置位置情報に基づいて、前記第１の空調機、前記第２の空調機及び前記照明機器の前記配置位置、並びに、前記光の色又は明るさを示す画面画像を表示する表示部と、を備えること
を特徴とする請求項７から９の何れか一項に記載の空調照明連動システム。
【請求項１１】
コンピュータを、
空間における空気の調和を行う第１の空調機を制御する第１の空調用リモートコントローラ、前記空間における空気の調和を行う第２の空調機を制御する第２の空調用リモートコントローラ、並びに、前記第１の空調機及び前記第２の空調機の間に配置され、光を発する照明機器と通信を行う通信装置、と無線通信を行う無線通信部、及び、
前記無線通信部を介して、前記第１の空調用リモートコントローラ及び前記第２の空調用リモートコントローラから、前記第１の空調機の動作状態及び前記第２の空調機の動作状態を取得し、前記無線通信部を介して前記通信装置と通信を行うことで、前記第１の空調機の動作状態と、前記第２の空調機の動作状態とに差があるか否かで、前記照明機器に前記光の色又は明るさを変えさせる制御部、として機能させること
を特徴とするプログラム。
【請求項１２】
空間における空気の調和を行う第１の空調機を制御する第１の空調用リモートコントローラ及び前記空間における空気の調和を行う第２の空調機を制御する第２の空調用リモートコントローラから、前記第１の空調機の動作状態及び前記第２の空調機の動作状態を取得し、
前記第１の空調機の動作状態と、前記第２の空調機の動作状態とに差があるか否かで、前記第１の空調機及び前記第２の空調機の間に配置された照明機器から発せられる光の色又は明るさを変えること
を特徴とする空調照明連動方法。
【発明の詳細な説明】
【技術分野】
【０００１】
本発明は、空調機と照明機器とを連動させる空調照明連動システム、プログラム及び空調照明連動方法に関する。
【背景技術】
【０００２】
空調機の電源状態、運転モード、吹き出し温度又は吸い込み温度等の動作状態の差異については、視覚的に確認することが難しい。例えば、オフィスフロア等の大空間において、複数の空調機が並んでいる場合に、設定ミス等により、他の空調機と異なる運転モード又は設定温度で動作している空調機を発見することは困難である。【０００３】
これに対して、例えば、空調機と照明とを連動させ、空調機が暖房運転時に、室内温度の高低によって、照明の色合いを変える技術がある（特許文献１）。
【先行技術文献】
【特許文献】
【０００４】
【特許文献１】特開２０１４−０９５５１６号公報
【発明の概要】
【発明が解決しようとする課題】
【０００５】
しかし、従来の技術は、各々の空調機において検知された温度に応じて、照明の色合いを変えるものであり、他の空調機との動作の違いを示すものではない。
また、従来の技術は、オフィスフロア等の大空間に並べられる複数の空調機に適用してしまうと、エリアによって色合いが違ってしまい、違和感が出る。さらに、従来の技術は、大空間における照明の全体の色合いが変わってしまう場合もあり、そこにいるユーザの作業性を損なう可能性もある。【０００６】
そこで、本発明の１又は複数の態様は、ユーザの快適性を損なうことなく、他の空調機と動作状態が異なる空調機を視覚的に区別できるようにすることを目的とする。
【課題を解決するための手段】
【０００７】
本発明の１態様に係る空調照明連動システムは、空間における空気の調和を行う第１の空調機と、前記空間における空気の調和を行う第２の空調機と、前記第１の空調機及び前記第２の空調機の間に配置され、光を発する照明機器と、を備える空調照明連動システムであって、前記照明機器は、前記第１の空調機の動作状態と、前記第２の空調機の動作状態とに差があるか否かで、前記光の色又は明るさを変えることを特徴とする。【０００８】
本発明の１態様に係るプログラムは、コンピュータを、空間における空気の調和を行う第１の空調機を制御する第１の空調用リモートコントローラ、前記空間における空気の調和を行う第２の空調機を制御する第２の空調用リモートコントローラ、並びに、前記第１の空調機及び前記第２の空調機の間に配置され、光を発する照明機器と通信を行う通信装置、と無線通信を行う無線通信部、及び、前記無線通信部を介して、前記第１の空調用リモートコントローラ及び前記第２の空調用リモートコントローラから、前記第１の空調機の動作状態及び前記第２の空調機の動作状態を取得し、前記無線通信部を介して前記通信装置と通信を行うことで、前記第１の空調機の動作状態と、前記第２の空調機の動作状態とに差があるか否かで、前記照明機器に前記光の色又は明るさを変えさせる制御部、として機能させることを特徴とする。【０００９】
本発明の１態様に係る空調照明連動方法は、空間における空気の調和を行う第１の空調機を制御する第１の空調用リモートコントローラ及び前記空間における空気の調和を行う第２の空調機を制御する第２の空調用リモートコントローラから、前記第１の空調機の動作状態及び前記第２の空調機の動作状態を取得し、前記第１の空調機の動作状態と、前記第２の空調機の動作状態とに差があるか否かで、前記第１の空調機及び前記第２の空調機の間に配置された照明機器から発せられる光の色又は明るさを変えることを特徴とする。
【発明の効果】
【００１０】
本発明の１又は複数の態様によれば、ユーザの快適性を損なうことなく、他の空調機と動作状態が異なる空調機を視覚的に区別することができる。
【図面の簡単な説明】
【００１１】
【図１】実施の形態１又は２に係る空調照明連動システムの構成を概略的に示すブロック図である。
【図２】第１の空調機、第２の空調機及び照明機器の配置例を示す概略図である。
【図３】（Ａ）及び（Ｂ）は、空調機及び空調用リモコンの構成を概略的に示すブロック図である。
【図４】（Ａ）及び（Ｂ）は、ハードウェア構成例を示す概略図である。
【図５】（Ａ）及び（Ｂ）は、照明機器及び照明用リモコンの構成を概略的に示すブロック図である。
【図６】操作端末の構成を概略的に示すブロック図である。
【図７】実施の形態１における操作端末が、第１の空調機と、第２の空調機との間に配置されている照明機器の色を変更する動作の一例を示すフローチャートである。
【図８】操作端末に表示される画面画像の一例を示す正面図である。
【図９】実施の形態２における操作端末が、第１の空調機と、第２の空調機との間に配置されている照明機器の色を変更する動作の一例を示すフローチャートである。
【発明を実施するための形態】
【００１２】
実施の形態１．
図１は、実施の形態１に係る空調照明連動システム１００の構成を概略的に示すブロック図である。
空調照明連動システム１００は、第１の空調機１１０Ａと、第２の空調機１１０Ｂと、照明機器１２０と、第１の空調用リモコン１３０Ａと、第２の空調用リモコン１３０Ｂと、照明用リモコン１４０と、操作端末１５０とを備える。リモコンは、リモートコントローラの略である。
【００１３】
図２に示されているように、第１の空調機１１０Ａ、第２の空調機１１０Ｂ及び照明機器１２０は、オフィス等の空間の天井に取り付けられている。即ち、第１の空調機１１０Ａと、第２の空調機１１０Ｂとは、互いに隣接しており、第１の空調機１１０Ａ及び第２の空調機１１０Ｂは、同じ空間の空気の調和を行う。照明機器１２０は、その空間において、光を発する。実施の形態１おける照明機器１２０は、第１の空調機１１０Ａの動作状態と、第２の空調機１１０Ｂの動作状態とに差があるか否かで、発する光の色又は明るさを変える。
【００１４】
実施の形態１においては、照明機器１２０は、第１の空調機１１０Ａと、第２の空調機１１０Ｂとの間に配置されているものとする。言い換えると、照明機器１２０は、第１の空調機１１０Ａが空気の調和を行っている第１のエリアと、第２の空調機１１０Ｂが空気の調和を行っている第２のエリアとの中間に配置されているものとする。
【００１５】
図１に戻り、第１の空調機１１０Ａは、専用の通信線１０１Ａを介して、第１の空調用リモコン１３０Ａに接続されており、第２の空調機１１０Ｂは、専用の通信線１０１Ｂを介して、第２の空調用リモコン１３０Ｂに接続されており、照明機器１２０は、専用の通信線１０２を介して、照明用リモコン１４０に接続されている。
【００１６】
操作端末１５０は、第１の空調用リモコン１３０Ａ、第２の空調用リモコン１３０Ｂ及び照明用リモコン１４０と通信する。例えば、操作端末１５０は、第１の空調用リモコン１３０Ａ、第２の空調用リモコン１３０Ｂ及び照明用リモコン１４０と、無線で通信する。そして、操作端末１５０は、第１の空調機１１０Ａの動作状態と、第２の空調機１１０Ｂの動作状態とに差があるか否かを判断し、その判断結果に応じて、照明用リモコン１４０を介して、照明機器１２０の光の色又は明るさを制御する。
【００１７】
ここで、第１の空調機１１０Ａ及び第２の空調機１１０Ｂは、同様に構成されており、特に各々を区別する必要がない場合には、空調機１１０という。また、第１の空調用リモコン１３０Ａ及び第２の空調用リモコン１３０Ｂも、同様に構成されており、特に各々を区別する必要がない場合には、空調用リモコン１３０という。
【００１８】
図３（Ａ）及び（Ｂ）は、空調機１１０及び空調用リモコン１３０の構成を概略的に示すブロック図である。
図３（Ａ）は、空調機１１０の構成を概略的に示すブロック図である。
空調機１１０は、リモコン通信部１１１と、空調機本体１１２と、空調制御部１１３とを備える。
【００１９】
リモコン通信部１１１は、接続されている空調用リモコン１３０と通信を行う通信インタフェースである。
空調機本体１１２は、空気の調和を実行する。空調機本体１１２は、熱交換器、圧縮機、膨張弁及びファン等を備える。さらに、空調機本体１１２は、空調機本体１１２の動作状態を記憶するメモリ、及び、空調機１１０が吸い込む空気の温度である吸い込み温度を検出するセンサを含む各種センサを備える。
【００２０】
空調制御部１１３は、空調機１１０の全体の動作を制御する。例えば、空調制御部１１３は、リモコン通信部１１１を介して、空調用リモコン１３０からの指示を受け付けて、その指示に応じて、空調機本体１１２を制御する。具体的には、空調制御部１１３は、空調用リモコン１３０からの指示に応じて、空調機本体１１２の動作状態を変更する。
また、空調制御部１１３は、接続されている空調用リモコン１３０に、リモコン通信部１１１を介して、空調機１１０の運転状態を示す運転状態情報を送る。実施の形態１では、運転状態は、暖房、送風又は冷房といった運転モードである。
【００２１】
なお、以上に記載された空調制御部１１３の一部又は全部は、例えば、図４（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。ここで、プログラムは、コンピュータに特定の機能を行わせるためのデータである。
【００２２】
また、空調制御部１１３の一部又は全部は、例えば、図４（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００２３】
図３（Ｂ）は、空調用リモコン１３０の構成を概略的に示すブロック図である。
空調用リモコン１３０は、空調機通信部１３１と、無線通信部１３２と、個別動作状態記憶部１３３と、空調機制御部１３４とを備える。
【００２４】
空調機通信部１３１は、接続されている空調機１１０と通信を行う通信インタフェースである。
無線通信部１３２は、操作端末１５０と通信を行う無線通信インタフェースである。無線通信は、例えば、Ｂｌｕｅｔｏｏｔｈ（登録商標）等の規格に従ったものとする。
個別動作状態記憶部１３３は、接続されている空調機１１０の動作状態を示す個別動作状態情報を記憶する。実施の形態１における個別動作状態情報は、接続されている空調機１１０がオン（運転中）又はオフ（停止中）であるか否か等の電源状態と、接続されている空調機１１０から取得される運転状態情報で示される運転状態である運転モードとを示す。
【００２５】
空調機制御部１３４は、空調用リモコン１３０の全体の動作を制御する。例えば、空調機制御部１３４は、空調機通信部１３１を介して、空調機１１０に指示を送ることで、空調機１１０を制御する。
また、空調機制御部１３４は、空調機通信部１３１を介して、接続されている空調機１１０から運転状態情報を受け取り、受け取った運転状態情報で、個別動作状態記憶部１３３に記憶されている個別動作状態情報を更新する。これにより、個別動作状態記憶部１３３に記憶されている個別動作状態情報は、接続されている空調機１１０の最新の運転状態を含む動作状態を示すことになる。さらに、空調機制御部１３４は、接続されている空調機１１０の電源状態を変更した場合には、個別動作状態記憶部１３３に記憶されている個別動作状態情報を更新する。これにより、個別動作状態記憶部１３３に記憶されている個別動作状態情報は、接続されている空調機１１０の最新の電源状態を含む動作状態を示すことになる。
【００２６】
なお、空調機制御部１３４は、空調機通信部１３１を介して、適時、空調機１１０に要求することで、運転状態情報を受け取ってもよく、空調機１１０から、適時、運転状態情報が送られてきてもよい。
さらに、空調機制御部１３４は、操作端末１５０からの要求に応じて、個別動作状態記憶部１３３に記憶されている個別動作状態情報を、無線通信部１３２を介して、操作端末１５０に送る。
【００２７】
なお、以上に記載された空調機制御部１３４の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００２８】
また、空調機制御部１３４の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
なお、個別動作状態記憶部１３３は、揮発性又は不揮発性のメモリで構成することができる。
【００２９】
図５（Ａ）及び（Ｂ）は、照明機器１２０及び照明用リモコン１４０の構成を概略的に示すブロック図である。
図５（Ａ）は、照明機器１２０の構成を概略的に示すブロック図である。
照明機器１２０は、リモコン通信部１２１と、ＬＥＤ（Ｌｉｇｈｔ  Ｅｍｉｔｔｉｎｇ  Ｄｉｏｄｅ）１２２と、調光部１２３とを備える。
【００３０】
リモコン通信部１２１は、照明機器１２０と通信を行う通信インタフェースである。例えば、リモコン通信部１２１は、照明用リモコン１４０からの制御信号を受け取る。
ＬＥＤ１２２は、発光を行う発光部である。例えば、ＬＥＤ１２２は、フルカラーのＬＥＤで構成されており、様々な色を作り出すことができる。
調光部１２３は、ＬＥＤ１２２の発光を制御する。例えば、調光部１２３は、照明用リモコン１４０から受け取った制御信号を受けて、ＬＥＤ１２２を所定の輝度で点灯させるための制御信号を作成し、ＬＥＤ１２２に送ることで、ＬＥＤ１２２の発光を制御する。例えば、調光部１２３は、ＬＥＤ１２２の輝度を変更することで、発光する色を変更する。
【００３１】
調光部１２３は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することができる。
【００３２】
図５（Ｂ）は、照明用リモコン１４０の構成を概略的に示すブロック図である。
照明用リモコン１４０は、照明機器通信部１４１と、無線通信部１４２と、照明動作記憶部１４３と、照明機器制御部１４４とを備える。
【００３３】
照明機器通信部１４１は、照明機器１２０と通信を行う通信インタフェースである。例えば、照明機器通信部１４１は、照明機器１２０に対して、照明のオン又はオフ、輝度又は色等を指示する制御信号を送る。
無線通信部１４２は、操作端末１５０と通信を行う無線通信インタフェースである。
【００３４】
照明動作記憶部１４３は、照明機器１２０の現在の状態を示す照明状態情報を記憶する。
また、照明動作記憶部１４３は、照明機器１２０を通常の色である通常色を発光させるための輝度値等のデジタル値を記憶する。ここでのデジタル値は、例えば、ＲＧＢ（Ｒｅｄ  Ｇｒｅｅｎ  Ｂｌｕｅ）情報であるものとする。さらに、照明動作記憶部１４３は、照明機器１２０を異動作の色である異動作色を発光させるための輝度値等のデジタル値を記憶する。
【００３５】
照明機器制御部１４４は、照明用リモコン１４０の全体の動作を制御する。例えば、照明機器制御部１４４は、照明機器通信部１４１を介して、照明機器１２０に指示を送ることで、照明機器１２０を制御する。具体的には、照明機器制御部１４４は、無線通信部１４２を介して、操作端末１５０から、「通常色」又は「異動作色」で発光させるという指示を受けた場合に、「通常色」を発光させるためのデジタル値又は「異動作色」を発光させるためのデジタル値を照明動作記憶部１４３から特定し、特定されたデジタル値を示す制御信号を照明機器１２０に送る。
【００３６】
なお、以上に記載された照明機器制御部１４４の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００３７】
また、照明機器制御部１４４の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
なお、照明動作記憶部１４３は、揮発性又は不揮発性のメモリで構成することができる。
【００３８】
図６は、操作端末１５０の構成を概略的に示すブロック図である。
操作端末１５０は、無線通信部１５１と、記憶部１５２と、表示部１５５と、入力部１５６と、端末制御部１５７とを備える。
【００３９】
無線通信部１５１は、空調用リモコン１３０及び照明用リモコン１４０と通信を行う無線通信インタフェースである。なお、空調用リモコン１３０及び照明用リモコン１４０の各々との間では、無線通信部１５１は、個体認証、アクセス認証及び通信の暗号化を行うことが望ましい。
【００４０】
記憶部１５２は、操作端末１５０での処理に必要な情報を記憶する。
例えば、記憶部１５２は、境界データベース１５３及び状態データベース１５４を備える。
【００４１】
境界データベース１５３は、空調機１１０及び照明機器１２０の配置位置を示す配置位置情報を記憶する配置位置記憶部である。例えば、境界データベース１５３は、第１の空調機１１０Ａと、第２の空調機１１０Ｂとの間に位置している照明機器１２０の位置関係をデータとして保持している。具体的には、第１の空調機１１０Ａ及び第２の空調機１１０Ｂは、４つの吹き出し口を備えており、４つの吹き出し口には、それぞれ、１〜４の番号が振られているものとする。そして、第１の空調機１１０Ａの１番に対応する吹き出し口と、第２の空調機１１０Ｂの３番に対応する吹き出し口との間に、照明機器１２０が存在している場合には、配置位置情報は、「第１の空調機１１０Ａの１番の吹き出し口と、第２の空調機１１０Ｂの３番の吹き出し口との間に、照明機器１２０が存在する」ことを示す。
【００４２】
状態データベース１５４は、複数の空調機１１０の各々の最新の動作状態を示す動作状態情報を記憶する動作状態記憶部である。動作状態情報は、例えば、空調機１１０毎に、オン又はオフ等の電源状態と、暖房、冷房、送風等の運転モードとを示す。言い換えると、実施の形態１においては、空調機１１０の動作状態は、電源状態及び運転モードにより示される。
【００４３】
記憶部１５２は、その他にも、空調機１１０と、その空調機１１０に接続されている空調用リモコン１３０との対応関係を示す対応関係情報を記憶する。これにより、端末制御部１５７は、例えば、第１の空調機１１０Ａと、第１の空調用リモコン１３０Ａとが接続されており、第１の空調機１１０Ａを制御するためには、第１の空調用リモコン１３０Ａと通信すればよいことがわかる。
【００４４】
表示部１５５は、各種画面画像を表示する。例えば、表示部１５５は、境界データベース１５３に記憶されている配置情報で示される空調機１１０及び照明機器１２０の配置位置を示す画面画像を表示する。
入力部１５６は、ユーザからの入力を受け付ける。例えば、ユーザは、入力部１５６を介して、表示部１５５に表示されている画面画像における空調機１１０又は照明機器１２０の配置位置を変更することで、配置情報を更新することができる。
【００４５】
端末制御部１５７は、操作端末１５０の全体の動作を制御する制御部である。
実施の形態１における端末制御部１５７は、第１の空調機１１０Ａの動作状態と、第２の空調機１１０Ｂの動作状態とに差があるか否かで、照明機器１２０に発する光の色又は明るさを変えさせる。例えば、端末制御部１５７は、第１の空調機１１０Ａの運転モードと、第２の空調機１１０Ｂの運転モードとが同じか否かに応じて、照明機器１２０に発する光の色又は明るさを変えさせる。
端末制御部１５７は、照明状態特定部１５８と、照明制御部１５９とを備える。
【００４６】
照明状態特定部１５８は、空調機１１０の動作状態に基づいて、照明機器１２０による照明の状態である照明状態を特定する。
例えば、照明状態特定部１５８は、無線通信部１５１を介して、空調用リモコン１３０に要求することで、その空調用リモコン１３０が接続されている空調機１１０の個別動作状態情報を取得し、取得された個別動作状態情報により状態データベース１５４に記憶されている動作状態情報を更新する。
そして、照明状態特定部１５８は、境界データベース１５３に記憶されている配置位置情報を参照することで、二つの空調機１１０の間にある照明機器１２０を特定する。照明状態特定部１５８は、その二つの空調機１１０の各々の動作状態を、状態データベース１５４に記憶されている動作状態情報を参照することで特定し、特定された動作状態に基づいて、特定された照明機器１２０の照明状態を特定する。
【００４７】
照明制御部１５９は、照明機器１２０の照明状態を制御する。例えば、照明制御部１５９は、照明状態特定部１５８で特定された照明状態を示す制御信号を、無線通信部１５１を介して、照明用リモコン１４０に送ることで、照明機器１２０の照明状態を制御する。
【００４８】
なお、以上に記載された端末制御部１５７の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００４９】
また、端末制御部１５７の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
なお、記憶部１５２は、揮発性又は不揮発性のメモリで構成することができる。
また、表示部１５５及び入力部１５６は、タッチパネルにより構成することができる。
【００５０】
図７は、実施の形態１における操作端末１５０が、第１の空調機１１０Ａと、第２の空調機１１０Ｂとの間に配置されている照明機器１２０の色を変更する動作の一例を示すフローチャートである。
図７に示されているフローチャートは、例えば、ユーザが、操作端末１５０を用いて、第１の空調機１１０Ａ又は第２の空調機１１０Ｂの電源状態をオンにすることにより開始される。
【００５１】
まず、操作端末１５０の照明状態特定部１５８は、無線通信部１５１を介して、第１の空調用リモコン１３０Ａ及び第２の空調用リモコン１３０Ｂのそれぞれから、第１の空調機１１０Ａ及び第２の空調機１１０Ｂのそれぞれの動作状態を示す個別動作状態情報を取得する（Ｓ１０）。そして、照明状態特定部１５８は、取得された個別動作状態情報で、状態データベース１５４に記憶されている動作状態情報を更新する。これにより状態データベース１５４には、第１の空調機１１０Ａ及び第２の空調機１１０Ｂの最新の動作状態が格納される。
【００５２】
次に、照明状態特定部１５８は、状態データベース１５４の動作状態情報を参照することで、対象となる照明機器１２０に隣接している二つの空調機１１０Ａ、１１０Ｂの動作モードが同一か否かを判断する（Ｓ１１）。動作モードが同一である場合（Ｓ１１でＹｅｓ）には、処理はステップＳ１２に進み、動作モードが異なる場合（Ｓ１１でＮｏ）には、処理はステップＳ１３に進む。
【００５３】
ステップＳ１２では、照明状態特定部１５８は、対象となる照明機器１２０の照明状態を通常色と特定し、照明制御部１５９は、特定された照明状態を示す制御信号を、無線通信部１５１を介して、照明用リモコン１４０に送ることで、照明用リモコン１４０に対して、照明機器１２０の光を通常色にするように指示する。このような指示を受けた照明用リモコン１４０では、照明機器制御部１４４が、照明動作記憶部１４３に保持された通常色のＲＧＢ情報に基づいて、照明機器１２０の照明状態を通常色にする。
【００５４】
ステップＳ１３では、照明状態特定部１５８は、対象となる照明機器１２０の照明状態を異動作色と特定し、照明制御部１５９は、特定された照明状態を示す制御信号を、無線通信部１５１を介して、照明用リモコン１４０に送ることで、照明用リモコン１４０に対して、照明機器１２０の光を異動作色にするように指示する。このような指示を受けた照明用リモコン１４０では、照明機器制御部１４４が、照明動作記憶部１４３に保持された異動作色のＲＧＢ情報に基づいて、照明機器１２０の照明状態を異動作色にする。
【００５５】
図８は、実施の形態１における操作端末１５０に表示される画面画像の一例を示す正面図である。
操作端末１５０の表示部１５５には、第１の空調機１１０Ａと、第２の空調機１１０Ｂとの間に、照明機器１２０を配置した画面画像１６０が表示される。第１の空調機１１０Ａ及び第２の空調機１１０Ｂの各々の吹き出し口には、割り当てられている番号が表示されている。このため、ユーザは、空調機１１０の吹き出し口と、照明機器１２０との関係を直感的に把握することができる。
【００５６】
また、表示部１５５がカラーの表示部である場合には、照明機器１２０は、現在の照明状態の色で表示されることが望ましい。
なお、ユーザは、この画面画像をタッチして、空調機１１０及び照明機器１２０の配置を変更することで、これらの配置を変更することができ、変更された配置に応じて、境界データベース１５３が更新される。
【００５７】
なお、以上に記載された実施の形態１では、操作端末１５０の照明状態特定部１５８は、図７のステップＳ１１において、運転モードが同一か否かを判断しているが、実施の形態１は、このような例に限定されない。例えば、電源状態が同一か否かを判断してもよく、電源状態及び動作モードが同一か否かを判断してもよい。
【００５８】
言い換えると、照明状態特定部１５８は、第１の空調機１１０Ａの電源状態と、第２の空調機１１０Ｂの電源状態とが同じ場合に、第１の空調機１１０Ａの動作状態と、第２の空調機１１０Ｂの動作状態とに差がないと判断し、第１の空調機１１０Ａの電源状態と、第２の空調機１１０Ｂの電源状態とが異なる場合に、第１の空調機１１０Ａの動作状態と、第２の空調機１１０Ｂの動作状態とに差があると判断してもよい。
【００５９】
また、照明状態特定部１５８は、第１の空調機１１０Ａの運転モード及び電源状態と、第２の空調機１１０Ｂの運転モード及び電源状態とが同じ場合に、第１の空調機１１０Ａの動作状態と、第２の空調機１１０Ｂの動作状態とに差がないと判断してもよい。そして、照明状態特定部１５８は、第１の空調機１１０Ａの運転モードと、第２の空調機１１０Ｂの運転モードとが異なる場合、第１の空調機１１０Ａの電源状態と、第２の空調機１１０Ｂの電源状態とが異なる場合、又は、第１の空調機１１０Ａの運転モード及び電源状態と、第２の空調機１１０Ｂの運転モード及び電源状態とが異なる場合に、第１の空調機１１０Ａの動作状態と、第２の空調機１１０Ｂの動作状態とに差があると判断してもよい。
【００６０】
また、運転モードが異なる場合、それぞれの空調機１１０から送風される空気である調和空気の温度が異なる。例えば、暖房運転であれば３０℃前後、送風運転であれば室温程度、冷房運転であれば１０℃程度の温度で空気が送風される。このため、照明状態特定部１５８は、図７のステップＳ１１において、調和温度が異なるか否かを判断してもよい。このような判断は、運転モードが異なるか否かで判断すればよい。
【００６１】
実施の形態２．
図１に示されているように、実施の形態２に係る空調照明連動システム２００は、第１の空調機２１０Ａと、第２の空調機２１０Ｂと、照明機器１２０と、第１の空調用リモコン２３０Ａと、第２の空調用リモコン２３０Ｂと、照明用リモコン１４０と、操作端末２５０とを備える。
実施の形態２に係る空調照明連動システム２００の照明機器１２０及び照明用リモコン１４０は、実施の形態１に係る空調照明連動システム１００の照明機器１２０及び照明用リモコン１４０と同様である。
【００６２】
図２に示されているように、実施の形態２における、第１の空調機２１０Ａ、第２の空調機２１０Ｂ及び照明機器１２０の配置は、実施の形態１における、第１の空調機１１０Ａ、第２の空調機１１０Ｂ及び照明機器１２０の配置と同様である。
【００６３】
図１に戻り、第１の空調機２１０Ａは、専用の通信線１０１Ａを介して、第１の空調用リモコン２３０Ａに接続されており、第２の空調機２１０Ｂは、専用の通信線１０１Ｂを介して、第２の空調用リモコン２３０Ｂに接続されている。
【００６４】
操作端末２５０は、第１の空調用リモコン２３０Ａ、第２の空調用リモコン２３０Ｂ及び照明用リモコン１４０と通信する。例えば、操作端末２５０は、第１の空調用リモコン２３０Ａ、第２の空調用リモコン２３０Ｂ及び照明用リモコン１４０と、無線で通信する。
【００６５】
ここで、第１の空調機２１０Ａ及び第２の空調機２１０Ｂは、同様に構成されており、特に各々を区別する必要がない場合には、空調機２１０という。また、第１の空調用リモコン２３０Ａ及び第２の空調用リモコン２３０Ｂも、同様に構成されており、特に各々を区別する必要がない場合には、空調用リモコン２３０という。
【００６６】
図３（Ａ）に示されているように、空調機２１０は、リモコン通信部１１１と、空調機本体１１２と、空調制御部２１３とを備える。
実施の形態２における空調機２１０のリモコン通信部１１１及び空調機本体１１２は、実施の形態１における空調機１１０のリモコン通信部１１１及び空調機本体１１２と同様である。
【００６７】
空調制御部２１３は、空調機２１０の全体の動作を制御する。例えば、空調制御部２１３は、リモコン通信部１１１を介して、空調用リモコン２３０からの指示を受け付けて、その指示に応じて、空調機本体１１２を制御する。具体的には、空調制御部２１３は、空調用リモコン２３０からの指示に応じて、空調機本体１１２の動作状態を変更する。
また、空調制御部２１３は、接続されている空調用リモコン２３０に、リモコン通信部１１１を介して、空調機２１０の運転状態を示す運転状態情報を送る。実施の形態２では、運転状態は、吸い込み温度である。
【００６８】
なお、以上に記載された空調制御部２１３の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００６９】
また、空調制御部２１３の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００７０】
図３（Ｂ）に示されているように、空調用リモコン２３０は、空調機通信部１３１と、無線通信部１３２と、個別動作状態記憶部２３３と、空調機制御部２３４とを備える。
実施の形態２における空調用リモコン２３０の空調機通信部１３１及び無線通信部１３２は、実施の形態１における空調用リモコン１３０の空調機通信部１３１及び無線通信部１３２と同様である。
【００７１】
個別動作状態記憶部２３３は、接続されている空調機２１０の動作状態を示す個別動作状態情報を記憶する。実施の形態２における個別動作状態情報は、接続されている空調機２１０がオン又はオフであるか否か等の電源状態と、接続されている空調機２１０から取得される運転状態情報で示される運転状態である吸い込み温度とを示す。
【００７２】
空調機制御部２３４は、空調用リモコン２３０の全体の動作を制御する。例えば、空調機制御部２３４は、空調機通信部１３１を介して、空調機２１０に指示を送ることで、空調機２１０を制御する。
また、空調機制御部２３４は、空調機通信部１３１を介して、接続されている空調機２１０から運転状態情報を受け取り、受け取った運転状態情報で、個別動作状態記憶部２３３に記憶されている個別動作状態情報を更新する。これにより、個別動作状態記憶部２３３に記憶されている個別動作状態情報は、接続されている空調機２１０の最新の運転状態を示すことになる。さらに、空調機制御部２３４は、接続されている空調機２１０の電源状態を変更した場合には、個別動作状態情報を更新する。これにより、個別動作状態記憶部２３３に記憶されている個別動作状態情報は、接続されている空調機２１０の最新の電源状態を示すことになる。
【００７３】
なお、空調機制御部２３４は、空調機通信部１３１を介して、適時、空調機２１０に要求することで、運転状態情報を受け取ってもよく、空調機２１０から、適時、運転状態情報が送られてきてもよい。
さらに、空調機制御部２３４は、操作端末２５０からの要求に応じて、個別動作状態記憶部２３３に記憶されている個別動作状態情報を、無線通信部１３２を介して、操作端末２５０に送る。
【００７４】
なお、以上に記載された空調機制御部２３４の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００７５】
また、空調機制御部２３４の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
なお、個別動作状態記憶部２３３は、揮発性又は不揮発性のメモリで構成することができる。
【００７６】
図６に示されているように、実施の形態２における操作端末２５０は、無線通信部１５１と、記憶部２５２と、表示部１５５と、入力部１５６と、端末制御部２５７とを備える。
実施の形態２における操作端末２５０の、無線通信部１５１、表示部１５５及び入力部１５６は、実施の形態１における操作端末１５０の、無線通信部１５１、表示部１５５及び入力部１５６と同様である。
【００７７】
記憶部２５２は、操作端末２５０での処理に必要な情報を記憶する。
例えば、記憶部２５２は、境界データベース１５３及び状態データベース２５４を備える。
実施の形態２における記憶部２５２の境界データベース１５３は、実施の形態１における記憶部１５２の境界データベース１５３と同様である。
【００７８】
状態データベース２５４は、複数の空調機２１０の各々の最新の動作状態を示す動作状態情報を記憶する動作状態記憶部である。動作状態情報は、例えば、空調機２１０毎に、オン又はオフ等の電源状態と、吸い込み温度とを示す。言い換えると、実施の形態２においては、空調機２１０の動作状態は、電源状態及び吸い込み温度により示される。
【００７９】
記憶部２５２は、その他にも、空調機２１０と、その空調機２１０に接続されている空調用リモコン２３０との対応関係を示す対応関係情報を記憶する。これにより、端末制御部２５７は、例えば、第１の空調機２１０Ａと、第１の空調用リモコン２３０Ａとが接続されており、第１の空調機２１０Ａを制御するためには、第１の空調用リモコン２３０Ａと通信すればよいことがわかる。
【００８０】
端末制御部２５７は、操作端末２５０の全体の動作を制御する。
端末制御部２５７は、照明状態特定部２５８と、照明制御部１５９とを備える。
実施の形態２における端末制御部２５７の照明制御部１５９は、実施の形態１における端末制御部１５７の照明制御部１５９と同様である。
【００８１】
照明状態特定部２５８は、空調機２１０の動作状態に基づいて、照明機器１２０による照明状態を特定する。
例えば、照明状態特定部２５８は、無線通信部１５１を介して、空調用リモコン２３０に要求することで、その空調用リモコン２３０が接続されている空調機２１０の個別動作状態情報を取得し、取得された個別動作状態情報により状態データベース１５４に記憶されている動作状態情報を更新する。
そして、照明状態特定部２５８は、境界データベース１５３に記憶されている配置位置情報を参照することで、二つの空調機２１０の間にある照明機器１２０を特定する。照明状態特定部２５８は、その二つの空調機２１０の各々の動作状態を、状態データベース２５４に記憶されている動作状態情報を参照することで特定し、特定された動作状態に基づいて、特定された照明機器１２０の照明状態を特定する。
【００８２】
なお、以上に記載された端末制御部２５７の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００８３】
また、端末制御部２５７の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
なお、記憶部２５２は、揮発性又は不揮発性のメモリで構成することができる。
【００８４】
図９は、実施の形態２における操作端末２５０が、第１の空調機２１０Ａと、第２の空調機２１０Ｂとの間に配置されている照明機器１２０の色を変更する動作の一例を示すフローチャートである。
図９に示されているフローチャートは、例えば、ユーザが、操作端末２５０を用いて、第１の空調機２１０Ａ又は第２の空調機２１０Ｂの電源状態をオンにすることにより開始される。
【００８５】
まず、操作端末２５０の照明状態特定部２５８は、無線通信部１５１を介して、第１の空調機２１０Ａ及び第２の空調機２１０Ｂのそれぞれから、それぞれの動作状態を示す個別動作状態情報を取得する（Ｓ２０）。そして、照明状態特定部２５８は、取得された個別動作状態情報で、状態データベース２５４に記憶されている動作状態情報を更新する。これにより状態データベース２５４には、第１の空調機２１０Ａ及び第２の空調機２１０Ｂの最新の動作状態が格納される。
【００８６】
次に、照明状態特定部２５８は、状態データベース２５４の動作状態情報を参照することで、対象となる照明機器１２０に隣接している二つの空調機２１０Ａ、２１０Ｂの吸い込み温度の温度差が予め定められた閾値である３℃以上であるか否かを判断する（Ｓ２１）。そして、吸い込み温度の温度差が３℃以上である場合（Ｓ２１でＹｅｓ）には、処理はステップＳ２３に進み、吸い込み温度の温度差が３℃未満である場合（Ｓ２１でＮｏ）には、処理はステップＳ２２に進む。
【００８７】
ステップＳ２２では、照明状態特定部２５８は、対象となる照明機器１２０の照明状態を通常色と特定し、照明制御部１５９は、特定された照明状態を示す制御信号を、無線通信部１５１を介して、照明用リモコン１４０に送ることで、照明用リモコン１４０に対して、照明機器１２０の光を通常色にするように指示する。このような指示を受けた照明用リモコン１４０では、照明機器制御部１４４が、照明動作記憶部１４３に保持された通常色のＲＧＢ情報に基づいて、照明機器１２０の照明状態を通常色にする。
【００８８】
ステップＳ２３では、照明状態特定部２５８は、対象となる照明機器１２０の照明状態を異動作色と特定し、照明制御部１５９は、特定された照明状態を示す制御信号を、無線通信部１５１を介して、照明用リモコン１４０に送ることで、照明用リモコン１４０に対して、照明機器１２０の光を異動作色にするように指示する。このような指示を受けた照明用リモコン１４０では、照明機器制御部１４４が、照明動作記憶部１４３に保持された異動作色のＲＧＢ情報に基づいて、照明機器１２０の照明状態を異動作色にする。
【００８９】
以上に記載された図９のステップＳ２１では、照明状態特定部２５８は、第１の空調機２１０Ａの吸い込み温度と、第２の空調機２１０Ｂの吸い込み温度との温度差が予め定められた閾値以上であるか否かを判断しているが、実施の形態２は、このような例に限定されない。例えば、照明状態特定部２５８は、電源状態も含めてステップＳ２１での判断を行ってもよい。
【００９０】
具体的には、照明状態特定部２５８は、第１の空調機２１０Ａの電源状態及び第２の空調機２１０Ｂの電源状態がオフである場合、又は、第１の空調機２１０Ａの電源状態及び第２の空調機２１０Ｂの電源状態がオンであり、かつ、第１の空調機２１０Ａの吸い込み温度と、第２の空調機２１０Ｂの吸い込み温度との温度差が予め定められた閾値未満である場合に、第１の空調機２１０Ａの動作状態と、第２の空調機２１０Ｂの動作状態とに差がないと判断してもよい。この場合、図９では、処理はステップＳ２２に進む。
【００９１】
一方、照明状態特定部２５８は、第１の空調機２１０Ａの電源状態と、第２の空調機２１０Ｂの電源状態とが異なる場合、又は、第１の空調機２１０Ａの電源状態及び第２の空調機２１０Ｂの電源状態がオンであり、かつ、第１の空調機２１０Ａの吸い込み温度と、第２の空調機２１０Ｂの吸い込み温度との温度差が予め定められた閾値以上である場合に、第１の空調機２１０Ａの動作状態と、第２の空調機２１０Ｂの動作状態とに差があると判断してもよい。この場合、図９では、処理はステップＳ２３に進む。
【００９２】
以上に記載された実施の形態１における図７のフローチャート及び実施の形態２における図９のフローチャートは、第１の空調機１１０Ａ、２１０Ａ又は第２の空調機２１０Ｂ、２１０Ｂの電源がオンにされた場合に開始されているが、実施の形態１又は２は、このような例に限定されない。例えば、定期的等の適時に、図７又は図９のフローチャートが開始されてもよい。
【００９３】
また、図７のフローチャートのステップＳ１２又はＳ１３、及び、図９のフローチャートのステップＳ２２又はＳ２３では、照明機器１２０の色を制御しているが、実施の形態１又は２は、このような例に限定されない。例えば、これらのステップにおいて、照明機器１２０の明るさが制御されてもよい。
【００９４】
以上に記載された実施の形態１及び２では、照明機器１２０を制御するための照明用リモコン１４０が備えられているが、照明用リモコン１４０は、操作端末１５０、２５０が照明機器１２０の光の色又は明るさを変更することができるように、照明機器１２０と通信を行う通信装置としての機能を備えればよい。このため、照明用リモコン１４０の代わりに、照明機器１２０に接続して使用される通信アダプタ（図示せず）が備えられていてもよい。
【００９５】
なお、以上では、実施の形態１では、運転モードで照明機器１２０の光の色又は明るさを変更する形態を示し、実施の形態２では、吸い込み温度で照明機器１２０の光の色又は明るさを変更する形態を示しているが、実施の形態１及び２を組み合わせることで、運転モード及び吸い込み温度の両方を用いて照明機器１２０の光の色又は明るさを変更する形態としてもよい。
【００９６】
以上のように、実施の形態１及び２によれば、ユーザは、照明機器１２０の光の色又は明るさを見るだけで、隣接する空調機１１０、２１０の動作状態が異なっていることを把握することができる。このため、ユーザは、その動作状態に対して、対処を行うことができる。
【００９７】
以上のように、実施の形態１によれば、ユーザは、照明機器１２０の光の色又は明るさを見るだけで、空調機１１０の運転モードが異なっていることを把握することできるため、容易に、異なっている空調機１１０の運転モードを他の空調機１１０の運転モードに合わせることができる。
【００９８】
以上のように、実施の形態１によれば、ユーザは、照明機器１２０の光の色又は明るさを見るだけで、空調機１１０の電源状態が異なっていることを把握することできるため、容易に、異なっている空調機１１０の電源状態を他の空調機１１０の電源状態に合わせることができる。
【００９９】
以上のように、実施の形態２によれば、ユーザは、照明機器１２０の光の色又は明るさを見るだけで、空調機２１０の吸い込み温度が異なっていることを把握することできるため、容易に、設定温度を変える、又は、カーテンを閉める等の対策を行うことができる。
【０１００】
以上のように、実施の形態１又は２によれば、操作端末１５０、２５０で、空調機１１０、２１０の動作状態を確認して、照明機器１２０を制御しているため、容易に、空調機１１０、２１０の動作状態と、照明機器１２０の照明状態とを連携させることができる。
【０１０１】
以上のように、実施の形態１又は２によれば、操作端末１５０、２５０は、無線を用いて空調用リモコン１３０、２３０又は照明用リモコン１４０と通信を行っているため、ユーザは、固定された位置で操作端末１５０、２５０を操作する必要がなくなる。
【０１０２】
以上のように、実施の形態１又は２によれば、空調機１１０、２１０及び照明機器１２０の配置、並びに、照明機器１２０の照明状態が操作端末１５０、２５０の表示部１５５に表示されるため、ユーザは、容易に、それらを確認することができる。
【符号の説明】
【０１０３】
１００，２００  空調照明連動システム、  １１０Ａ，２１０Ａ  第１の空調機、  １１０Ｂ，２１０Ｂ  第２の空調機、  １１１  リモコン通信部、  １１２  空調機本体、  １１３，２１３  空調制御部、  １２０  照明機器、  １２１  リモコン通信部、  １２２  ＬＥＤ、  １２３  調光部、  １３０Ａ，２３０Ａ  第１の空調用リモコン、  １３０Ｂ，２３０Ｂ  第２の空調用リモコン、  １３１  空調機通信部、  １３２  無線通信部、  １３３，２３３  個別動作状態記憶部、  １３４，２３４  空調機制御部、  １４０  照明用リモコン、  １４１  照明機器通信部、  １４２  無線通信部、  １４３  照明動作記憶部、  １４４  照明機器制御部、  １５０，２５０  操作端末、  １５１  無線通信部、  １５２，２５２  記憶部、  １５３  境界データベース、  １５４，２５４  状態データベース、  １５５  表示部、  １５６  入力部、  １５７，２５７  端末制御部、  １５８，２５８  照明状態特定部、  １５９  照明制御部。
【図１】
2020100249.tif 000003
【図２】
2020100249.tif 000004
【図３】
2020100249.tif 000005
【図４】
2020100249.tif 000006
【図５】
2020100249.tif 000007
【図６】
2020100249.tif 000008
【図７】
2020100249.tif 000009
【図８】
2020100249.tif 000010
【図９】
2020100249.tif 000011
【国際調査報告】
2020100249.tif 000012
2020100249.tif 000013
2020100249.tif 000014
2020100249.tif 000015